(57)【要約】【課題】デッキオーブンの機能と、コンベクションオーブンの機能の双方の機能を有し、小型化が可能な電気オーブンを提供する【解決手段】金網３７ａ，３７ｂを収容可能な加熱室２４と、天面側に設置された電気ヒータ２７ａ，２７ｂと、加熱室２４の下面側に設置された電気ヒータ２９と、加熱室２４の側壁２６側に設置されたシロッコファン３０及びコイルヒータ３１とを備えている。シロッコファン３０から送り出される熱風を左右両方向へ案内する制風板３２ａ，３２ｂ，３３が設けられている【選択図】図５
2009109056.tif 000002
【特許請求の範囲】
【請求項１】
食材を載せるための載置台を収容可能な加熱室と、該加熱室の天面側に設置された天面ヒータと、該加熱室の下面側に設置された下面ヒータと、該加熱室の側壁側に設置され、該加熱室内の空気を取り込んで加熱し、熱風として該加熱室に送り返す熱風発生手段と、該載置台を該加熱室内に出し入れするための開閉扉とを備えた電気オーブンにおいて、
前記熱風発生手段には、空気加熱ヒータと、該空気加熱ヒータによって加熱された空気を該加熱室内に送り出すための送風ファンと、該送風ファンから送り出される熱風を該送風ファンの左右両方向へ案内する案内手段と、が設けられていることを特徴とする電気オーブン。
【請求項２】
前記案内手段は、前記送風ファンから送り出される熱風を該送風ファンの左右両方向へ案内する第1案内手段と、
該第1案内手段で該送風ファンの左右両方向へ案内された熱風を、該送風ファンが設けられている側壁側と対面する側壁側へ熱風を案内するための第２案内手段と、
が設けられていることを特徴とする請求項１記載の電気オーブン。
【請求項３】
前記第２案内手段は、前記第1案内手段から送り出される熱風を加熱室の側壁に沿って送風ファン側の側面側と対面する側へ案内するようにされていることを特徴とする請求項２記載の電気オーブン。
【発明の詳細な説明】
【技術分野】
【０００１】
本発明は、デッキオーブン及びコンベクションオーブンの２つの機能を有し、小型化が可能な電気オーブンに関する。
【背景技術】
【０００２】
従来、電気オーブンにはデッキオーブンと、コンベクションオーブンの2種類が知られており、それぞれ用途によって使い分けられている。
【０００３】
デッキオーブンは、加熱室の上下に設けられたヒータの輻射熱によって、直接加熱室を加熱するものであり、火力が強く、食材を一気に焼き上げることができる。このため、魚を焼いたり、フランスパン等のハード系のパンを焼いたりするのに向いている。しかし、食品を加熱室の上下に設けられたヒータの輻射熱によって加熱する方式であるため、載置台を多段式とした場合、一方の載置台やその上に載っている食品が、他方の載置台や食品を遮ることとなるため、輻射熱が届かなくなることから、載置台を多段式とすることができず、一度に焼成できる食品の量が少ないという欠点を有する。
【０００４】
これに対して、コンベクションオーブンとは、加熱室の中へ熱風を送り込む方式であり、熱風が加熱室内を通過するため、多段式の焼成面であっても、焼成することができる。このため、デッキオーブンと比べて、一度に多量のものを焼成することができるという利点がある。その一方、熱風の通過によって焼き物の水分が蒸発しやすくなるため、食材が乾燥しやすいという特徴がある。
【０００５】
このように、デッキオーブンとコンベクションオーブンとは、それぞれ異なる特性を有しているため、食材や調理方法によって、適宜使い分けがなされている。しかし、デッキオーブンとコンベクションオーブンの2種類のオーブンを設置するのは、広い設置スペースが必要となり、設置費用も高騰化する。
【０００６】
このため、デッキオーブンの機能と、コンベクションオーブンの機能の双方の機能を有する電気オーブンも提案されている(特許文献１)。この電気オーブンは、加熱室内の上側と下側とにヒータが設けられており、さらには電気オーブン内に熱風を送り込む、熱風ヒータも取り付けられている。そして、下側のヒータは着脱可能とされている。このため、この電気オーブンをコンベクションオーブンとして使用したい場合には、下側のヒータを取り外し、熱風ヒータを駆動させればよい。また、この電気オーブンをデッキオーブンとして使用したいときには、熱風ヒータの駆動を止め、上下の電気ヒータによって加熱する。この電気オーブンでは、一台でデッキオーブンの機能と、コンベクションオーブンの機能の双方の機能を有しているため、デッキオーブンとコンベクションオーブンの2種類のオーブンを設置するのに比較して、設置スペースが狭くできる。また、設置費用も低廉となる。また、食品や調理法に応じて、それらに最も適した加熱方法を選択することができる。
【０００７】
【特許文献１】特開２００５−２５７２１７号公報
【発明の開示】
【発明が解決しようとする課題】
【０００８】
しかし、上記従来のデッキオーブンの機能と、コンベクションオーブンの機能の双方の機能を有する電気オーブンでは、一つの加熱室の中に上下の電気ヒータと、側面側の熱風ヒータとの両方の電気ヒータが必要となるため、ある程度の大きさが必要であり、小型化が困難となっていた。また、デッキオーブンとコンベクションオーブンの相互変換を行うためには、下側のヒータを取り外したり、装着したりする必要があるため、手間がかかるという問題もあった。
【０００９】
本発明は、上記従来の問題点を解決するためになされたもので、デッキオーブンとコンベクションオーブンの2つの機能を有し、それらの機能の変換に手間がかからず、小型化が可能な電気オーブンを提供することを目的とする。
【課題を解決するための手段】
【００１０】
本発明者は、デッキオーブンの機能と、コンベクションオーブンの機能の双方の機能を有する電気オーブンについて、小型化を図るべく鋭意研究を行った。その結果、単に従来のデッキオーブンの構造と、従来のコンベクションオーブンの構造とを、組み合わせただけでは、小型化に対応できないことを見出した。それは、次のような理由による。
【００１１】
すなわち、従来コンベクションオーブンは、図１に示すように、空気加熱ヒータ１によって加熱された空気を送風ファン２によって上方向と、下方向とに分けて送り出す構造とされている。送風ファン２に上下方向に送り出された熱風は、天板３や下板４に沿って対面する側壁５側に移動し、そこで反転して送風ファン２側に戻る対流が起こる。こうして送風ファン２側に戻った熱風は、再び送風ファン２によって送り出されて、上記の熱風の循環が繰り返される。
【００１２】
ところが、図２に示すように、電気オーブンを小型化して、加熱室６の高さｈを低くした場合、送風ファン７から天板８や下板９に沿って対面する側壁１０側に移動する熱風と、側壁１０側で反転して送風ファン７側に戻る熱風とが干渉し合い、熱風の循環が邪魔される。また、高さの低い加熱室６内に載置台を挿入し、食材を載置した場合には食材によっても熱風の循環が邪魔されることとなる。このため、単に従来のデッキオーブンの構造と、従来のコンベクションオーブンの構造とを組み合わせただけでは、小型化を計ろうとした場合、コンベクションオーブンの機能が十分に発揮されないのである。
【００１３】
このため、発明者らは、コンベクションオーブンの送風ファンから加熱室に送られる熱風と、加熱室から送風ファンに戻る熱風とが、互いに干渉しないで対流が生じるようにするため、送風ファンから送り出される熱風を送風ファンの左右両方向に送り出す構造を考え、本発明を完成するにいたった。
【００１４】
すなわち、本発明の電気オーブンは、載置台を収容可能な加熱室と、該加熱室の天面側に設置された天面ヒータと、該加熱室の下面側に設置された下面ヒータと、該加熱室の側壁側に設置され、該加熱室内の空気を取り込んで加熱し、熱風として該加熱室に送り返す熱風発生手段と、該載置台を該加熱室内に出し入れするための開閉扉とを備えた電気オーブンにおいて、
前記熱風発生手段には、空気加熱ヒータと、該空気加熱ヒータによって加熱された空気を該加熱室内に送り出すための送風ファンと、該送風ファンから送り出される熱風を該送風ファンの左右両方向へ案内する案内手段と、が設けられていることを特徴とする。
【００１５】
本発明の電気オーブンでは、加熱室の天面側に天面ヒータが設置され、下面側に下面ヒータが設置されており、これらのヒータによって加熱室内を上下から輻射熱によって食材を加熱する、デッキオーブンとしての機能を発揮することができる。そしてまた、加熱室の側壁側に設置された熱風発生手段が、加熱室内の空気を取り込んで加熱し、熱風として加熱室に送り返す、コンベンションオーブンとしての機能も発揮させることができる。このため、デッキオーブンとコンベクションオーブンの2種類のオーブンを設置するのに比較して、設置スペースが狭くできる。また、設置費用も低廉となり、食品や調理法に応じて、それらに最も適した加熱方法を選択することができる。しかも、デッキオーブンとコンベクションオーブンの2種類の機能の変換に手間がかからない。
【００１６】
さらに、本発明の電気オーブンの熱風発生手段には、熱風を送風ファンの左右両方向へ案内する案内手段が設けられているため、送風ファンの左右両方向へ案内された熱風は、側壁に沿って大きく旋回し送風ファンが設けられている側壁と対面する側壁面に達し、そこから再び、送風ファンに向かって戻ることとなる。このため、送風ファンから加熱室に送り出される熱風と、加熱室から送風ファンに戻ってくる熱風とが、互いに干渉することなく、対流することができる。
【００１７】
このため、電気オーブンの小型化を図るために加熱室の高さを低くしたとしても、コンベンションオーブンとしての機能を損なうことが少ない。
したがって、本発明の電気オーブンによれば、デッキオーブンとコンベクションオーブンの2つの機能を有し、それらの機能の変換に手間がかからず、小型化が可能となる。
【００１８】
本発明の電気オーブンにおいて、前記案内手段は、前記送風ファンから送り出される熱風を該送風ファンの左右両方向へ案内する第1案内手段と、該第1案内手段で該送風ファンの左右両方向へ案内された熱風を、該送風ファンが設けられている側壁側と対面する側壁側へ熱風を案内するための第２案内手段と、が設けられていることが好ましい。こうであれば、送風ファンの左右両方向へ案内された熱風が第１案内手段によって左右両方向に案内され、さらに第2案内手段によって、熱風を側壁に沿って確実に大きく旋回させることができる。そして、送風ファンが設けられている側壁と対面する側壁面に達し、そこから再び、送風ファンに向かって戻る熱風のルートが確実に確保されることとなる。このため、送風ファンから加熱室に送り出される熱風と、加熱室から送風ファンに戻ってくる熱風とを、確実に互いに干渉することなく、対流させることができる。
【００１９】
この場合において、前記第２案内手段は、前記第1案内手段から送り出される熱風を加熱室の側壁に沿って送風ファン側の側面側と対面する側へ案内するようにされていることも好ましい。こうであれば、送風ファンから左右両方向に送り出された熱風を、側壁に沿ってさらに確実に大きく旋回させることができる。そして、送風ファンが設けられている側壁と対面する側壁面に達し、そこから再び、送風ファンに向かって戻る熱風のルートがさらに確実に確保されることとなる。このため、送風ファンから加熱室に送り出される熱風と、加熱室から送風ファンに戻ってくる熱風とを、さらに確実に互いに干渉することなく、対流させることができる。
【発明を実施するための最良の形態】
【００２０】
以下、本発明を具体化した実施例の電気オーブンについて図面を参照しつつ詳述する。
（実施例）
実施例の電気オーブンは、容量が６４Ｌのパン焼き用オーブンであり、図３に示すように、略直方体形状のオーブン本体２１と、開閉扉２２と、制御部２３とからなる。オーブン本体２１は、食材を入れて焼成するための加熱室２４と電気配線を収容する電気回路部２５とからなる。
【００２１】
図４に示すように、加熱室２４の上面をなす天板２６の上側には、2本の電熱ヒータ２７ａ、２７ｂが、電気回路部２５の壁２５ａから水平方向に突設して固定されている。また、加熱室２４の下面側には、蓄熱材としての石板２８が敷設されており、石板２８の下には、フォーク状の電熱ヒータ２９が、図５に示すように、電気回路部２５の側壁２５ａから水平方向に突設して固定されている。
【００２２】
電気回路部２５の側壁２５ａの中央部の加熱室２４側前には、シロッコファン３０が軸芯を側壁２５ａと直角方向にして設置されており、シロッコファン３０の外周近傍には、シロッコファン３０を取り囲むようにしてコイルヒータ３１が設置されている。コイルヒータ３１の径外方向には、側壁２５ａと平行に延在し、両端で側壁２５ａから遠ざかる方向へくの字に折れ曲がる制風板３２ａ、３２ｂが立設されている。さらに制風板３２ａ，３２ｂに平行に延在する制風板３３が、両端で側壁２５ａから遠ざかる方向へくの字じ折れ曲がるように立設されている。制風板３２ａ，３２ｂ，３３及び側壁２５ａが第１案内手段である。制風板３３のシロッコファン３０と対面する位置には、無数の孔が開けられた空気取入口３４が設けられている。また、加熱室２４内には、開閉扉２２と対面する側壁２５ｂに平行して延在する制風板３５が立設されており、制風板３５の側壁２５ａと反対側の一端は加熱室内２４内部の方向にくの字に折れ曲がっている。制風板３５が第２案内手段である。
【００２３】
図３に示すように、開閉扉２２の上端には取っ手２２ａが取り付けられており、取っ手２２ａの下方には、パンの焼き具合を観察するためののぞき窓２２ｂが設けられている。
【００２４】
制御部２３には、上から電熱ヒータ２７ａ、２７ｂの電流を制御可能とする上火温度制御つまみ３６ａ、電熱ヒータ２９の電流を制御可能とする下火温度制御つまみ３６ｂ、タイマーつまみ３６ｃ、及びデッキオーブンタイプかコンベクションオーブンタイプかの切り替えを行う、切り替えつまみ３６ｄとが設けられている。
【００２５】
また、図４に示すように、加熱室２４には金網３７ａ、３７ｂが制風板３３及び制風板３３と対面する加熱室２４の側壁３８の両端に溶接されたステンレス角パイプからなる支柱３９ａ，３９ｂ，３９ｃ，３９ｄ（図５参照）に溶接されたＬ金具４０ａ、４０ｂ，４０ｃ，４０ｄ，４０ｅ、４０ｆ，４０ｇ，４０ｈ（図５参照）に載置されている。
【００２６】
次に、以上のように構成された実施例の電気オーブンにおける、パン類の焼成について述べる。この電気オーブンでパンを焼成する場合には、パンの種類によって、電熱ヒータ２７ａ，２７ｂ，２９に電力を供給するデッキオーブンタイプの焼成法か、シロッコファン３０及びコイルヒータ３１に電力を供給するコンベクションオーブンタイプの焼成かを選択する。
【００２７】
＜コンベクションオーブンタイプによる焼成法＞
クロワッサンやデニッシュパンを焼成するには、コンベクションオーブンタイプの焼成法を採用する。すなわち、まず開閉扉２２を開け、図４に示す金網３７ａ、３７ｂを引き出し、クロワッサンやデニッシュパンの生地を９個づつ載せる。そして再び元の位置に金網３７ａ、３７ｂを載置し、図３に示す切り替えつまみ３６ｄによって、コンベクションオーブンタイプを選択する。そして、タイマーつまみ３６ｃを所定時間に設定する。これにより、シロッコファン３０及びコイルヒータ３１に電力が供給され、図５に示すシロッコファン３０の回転により、加熱室２４内の空気が空気取入口３４から吸引される。こうして吸引された空気はコイルヒータ３１で加熱されて熱風となり、制風板３２ａ，３２ｂ，３３によって左右に案内される。そして、熱風は制風板３５や開閉扉２２によって向きを変えられ、側壁３８の方向に向かう。こうして側壁３８に達した熱風は、側壁３８の中央部に向かって進み、やがて再び空気取入口３４の方向に吸引される。こうして加熱室２４内の空気は熱風となって循環し、所定時間の間に、クロワッサンやデニッシュパンが焼成される。
【００２８】
以上のように、実施例の電気オーブンでは、コンベクションオーブンタイプの焼成法を選択した場合、上下から熱風が吹き出されるのではなく、左右方向に熱風が吹き出される。そして、制風板３２ａ，３２ｂ，３３や制風板３５によって大きく旋回しながら、空気取入口３４の方向に吸引され、再び加熱室２４内を循環する。特に、制風板３５によって確保される熱風の通路路は、パン生地によって邪魔されることがない。このため、循環する熱風どうしの干渉が少なく、円滑に循環が行われる。このため、電気オーブンの小型化を図るために加熱室の高さを低くしたとしても、コンベンションオーブンとしての機能を損なうことが少ない。
【００２９】
＜デッキオーブンタイプによる焼成法＞
ロールパンやフランスパン等の固めのパンを焼成するには、デッキオーブンタイプの焼成法が好適である。このためには、まず開閉扉２２を開け、図４に示す金網３７ａ、３７ｂを引き出し、金網３７ａにロールパンの生地を１２個載せる。そして再び元の位置に金網３７ａを載置し、まず図３に示す切り替えつまみ３６ｄによって、デッキオーブンタイプを選択する。そして、タイマーつまみ３６ｃを所定時間に設定する。これにより、電熱ヒータ２７ａ，２７ｂ，２９に電力が供給され、ロールパンの生地の上下から輻射熱が所定時間放射され、ロールパンが焼成される。
【００３０】
以上のように、実施例の電気オーブンでは、コンベンションオーブンとしての機能のみならず、デッキオーブンタイプの焼成法を選択した場合においても、なんらの問題も無くパン生地を焼成することができる。このため、デッキオーブンとコンベクションオーブンの2種類のオーブンを設置するのに比較して、設置スペースが狭くできる。デッキオーブンとコンベクションオーブンの切り替えは、切り替えつまみ３６ｄを回すだけであり、手間がほとんどかからない。また、食品や調理法に応じて、それらに最も適した加熱方法を選択することができる。また、設置費用も低廉である。
【００３１】
この発明は、上記発明の実施形態の説明に何ら限定されるものではない。特許請求の範囲の記載を逸脱せず、当業者が容易に想到できる範囲で種々の変形態様もこの発明に含まれる。
【図面の簡単な説明】
【００３２】
【図１】デッキオーブンとコンベンションオーブンを組み合わせた従来の電気オーブン内の熱風の流れを示した模式断面図。
【図２】デッキオーブンとコンベンションオーブンを組み合わせた従来の電気オーブンの高さを低くした場合の熱風の流れを示した模式断面図。
【図３】実施例の電気オーブンの斜視図である。
【図４】実施例の電気オーブンの縦断面図である。
【図５】実施例の電気オーブンの横断面図である。
【符号の説明】
【００３３】
３７ａ，３７ｂ…載置台（金網）
２４…加熱室
２７ａ，２７ｂ…天面ヒータ（電気ヒータ）
２９…下面ヒータ（電気ヒータ）
３０，３１…熱風発生手段（３０…送風ファン（シロッコファン），３１…空気加熱ヒータ（コイルヒータ）
２２…開閉扉
１２ａ…案内手段
制風板３２ａ，３２ｂ，３３及び側壁２５ａ…第1案内手段
３５，２５ｂ…第２案内手段（３５…制風板，２５ｂ…側壁）
【図１】
2009109056.tif 000003
【図２】
2009109056.tif 000004
【図３】
2009109056.tif 000005
【図４】
2009109056.tif 000006
【図５】
2009109056.tif 000007